(57)【特許請求の範囲】
【請求項１】
表示手段と、長尺状の印刷媒体に印刷するための印刷データを作成・編集する印刷データ作成・編集手段とを備えたラベルデータ作成装置において、
前記印刷データ作成・編集手段は、
前記表示手段の表示画面に前記印刷媒体のレイアウトを表示するレイアウト表示手段と、
前記レイアウトの印刷領域にオブジェクトを入力する入力手段と、
前記入力手段によって入力されたオブジェクトに順位を付与して記憶するオブジェクト記憶手段と、
前記印刷領域に入力されたオブジェクトを選択する選択手段と、
前記選択手段によって複数のオブジェクトが選択された場合には、この選択された複数のオブジェクトのうちの順位が１番目のオブジェクトを親オブジェクトに設定し、順位が２番目以降のオブジェクトを前記親オブジェクトと同じ情報の子オブジェクトに設定してグループ化するリンクオブジェクト設定手段と、
を有し、
前記リンクオブジェクト設定手段は、前記選択手段によって選択されたオブジェクトが１個の場合には、この選択されたオブジェクトを親オブジェクトに設定し、該親オブジェクトと同じ情報の子オブジェクトを作成して前記印刷領域に挿入してグループ化することを特徴とするラベルデータ作成装置。
【請求項２】
前記印刷データ作成・編集手段は、前記親オブジェクトの情報が変更された場合には、該親オブジェクトの属する前記グループ内の全ての前記子オブジェクトの情報を該親オブジェクトの情報と同じになるように更新するリンクオブジェクト更新手段を有することを特徴とする請求項１に記載のラベルデータ作成装置。
【請求項３】
前記印刷データ作成・編集手段は、前記オブジェクトに付与された順位を変更する順位変更手段を有することを特徴とする請求項１又は請求項２に記載のラベルデータ作成装置。
【請求項４】
前記印刷データ作成・編集手段は、前記リンクオブジェクト設定手段によって設定された前記グループを識別可能に表示すると共に、該グループ内の前記親オブジェクトと子オブジェクトとを識別可能に表示する識別表示手段を有することを特徴とする請求項１乃至請求項３のいずれかに記載のラベルデータ作成装置。
【請求項５】
前記オブジェクトは、テキスト又はアレンジテキスト又はバーコードのいずれかであることを特徴とする請求項１乃至請求項４のいずれかに記載のラベルデータ作成装置。
【請求項６】
請求項１乃至請求項５のいずれかに記載のラベルデータ作成装置の印刷データ作成・編集手段としてコンピュータを機能させることを特徴とするプログラム。
【請求項７】
請求項１乃至請求項５のいずれかに記載のラベルデータ作成装置の印刷データ作成・編集手段としてコンピュータを機能させるためのプログラムが記録されてコンピュータで読み取り可能なことを特徴とする記録媒体。
【発明の詳細な説明】
【技術分野】
【０００１】
本発明は、長尺状の印刷媒体に印刷するための印刷データを作成・編集するラベルデータ作成装置、プログラム及び記録媒体に関するものである。
【背景技術】
【０００２】
従来より、長尺状のテープやロールシート等の印刷媒体に印刷するための印刷データを作成・編集する技術に関し種々提案されている。
例えば、テープ状印刷媒体に印刷されるべき第１の文字列を記憶するための第１の記憶手段と、前記第１の記憶手段に記憶された第１の文字列が前記テープ状印刷媒体の幅方向に沿って配列された印刷イメージを生成する第１のイメージ生成手段と、前記第１の記憶手段に記憶された第１の文字列が前記テープ状印刷媒体の長手方向に沿って配列された印刷イメージを生成する第２のイメージ生成手段と、前記第１及び第２のイメージ生成手段のいずれか一方で生成された印刷イメージを前記テープ状印刷媒体に印刷した後、他方で生成された印刷イメージを前記テープ状印刷媒体に印刷するように制御する印刷制御手段とを備えたテープ印刷制御装置がある（例えば、特許文献１参照。）。
【特許文献１】特開２００４−１４８７５８号公報（段落（００２３）〜（００７３）、図１〜図８）
【発明の開示】
【発明が解決しようとする課題】
【０００３】
しかしながら、上述した特許文献１に記載される構成では、印刷媒体の印刷領域に複数のオブジェクトを入力して印刷した後に、この複数のオブジェクトをいずれかのオブジェクトの情報と同じ１種類の情報のオブジェクトに変更して印刷する場合には、残りのオブジェクトを全て同じ情報のオブジェクトに変更する必要があり、変更作業が煩雑であるという問題がある。
【０００４】
そこで、本発明は、上述した問題点を解決するためになされたものであり、レイアウトの印刷領域に入力した複数のオブジェクトをいずれかのオブジェクトの情報と同じ１種類の情報のオブジェクトに容易に変更することが可能となるラベルデータ作成装置、プログラム及び記録媒体を提供することを目的とする。
【課題を解決するための手段】
【０００５】
前記目的を達成するため請求項１に係るラベルデータ作成装置は、表示手段と、長尺状の印刷媒体に印刷するための印刷データを作成・編集する印刷データ作成・編集手段とを備えたラベルデータ作成装置において、前記印刷データ作成・編集手段は、前記表示手段の表示画面に前記印刷媒体のレイアウトを表示するレイアウト表示手段と、前記レイアウトの印刷領域にオブジェクトを入力する入力手段と、前記入力手段によって入力されたオブジェクトに順位を付与して記憶するオブジェクト記憶手段と、前記印刷領域に入力されたオブジェクトを選択する選択手段と、前記選択手段によって複数のオブジェクトが選択された場合には、この選択された複数のオブジェクトのうちの順位が１番目のオブジェクトを親オブジェクトに設定し、順位が２番目以降のオブジェクトを前記親オブジェクトと同じ情報の子オブジェクトに設定してグループ化するリンクオブジェクト設定手段と、を有し、前記リンクオブジェクト設定手段は、前記選択手段によって選択されたオブジェクトが１個の場合には、この選択されたオブジェクトを親オブジェクトに設定し、該親オブジェクトと同じ情報の子オブジェクトを作成して前記印刷領域に挿入してグループ化することを特徴とする。
【０００６】
また、請求項２に係るラベルデータ作成装置は、請求項１に記載のラベルデータ作成装置において、前記印刷データ作成・編集手段は、前記親オブジェクトの情報が変更された場合には、該親オブジェクトの属する前記グループ内の全ての前記子オブジェクトの情報を該親オブジェクトの情報と同じになるように更新するリンクオブジェクト更新手段を有することを特徴とする。
【０００７】
【０００８】
また、請求項３に係るラベルデータ作成装置は、請求項１又は請求項２に記載のラベルデータ作成装置において、前記印刷データ作成・編集手段は、前記オブジェクトに付与された順位を変更する順位変更手段を有することを特徴とする。
【０００９】
また、請求項４に係るラベルデータ作成装置は、請求項１乃請求項３のいずれかに記載のラベルデータ作成装置において、前記印刷データ作成・編集手段は、前記リンクオブジェクト設定手段によって設定された前記グループを識別可能に表示すると共に、該グループ内の前記親オブジェクトと子オブジェクトとを識別可能に表示する識別表示手段を有することを特徴とする。
【００１０】
また、請求項５に係るラベルデータ作成装置は、請求項１乃請求項４のいずれかに記載のラベルデータ作成装置において、前記オブジェクトは、テキスト又はアレンジテキスト又はバーコードのいずれかであることを特徴とする。
【００１１】
また、請求項６に係るプログラムは、請求項１乃至請求項５のいずれかに記載のラベルデータ作成装置の印刷データ作成・編集手段としてコンピュータを機能させることを特徴とする。
【００１２】
更に、請求項７に係る記録媒体は、請求項１乃至請求項５のいずれかに記載のラベルデータ作成装置の印刷データ作成・編集手段としてコンピュータを機能させるためのプログラムが記録されてコンピュータで読み取り可能なことを特徴とする。
【発明の効果】
【００１３】
請求項１に係るラベルデータ作成装置では、ユーザは、選択手段によって印刷領域内の複数のオブジェクトを選択することによって、印刷領域の複数のオブジェクトをグループ化して、グループ内で順位が１番目のオブジェクトと同じ情報の１種類の情報のオブジェクトに設定することが可能となる。従って、ユーザは、レイアウトの印刷領域に入力した複数のオブジェクトを順位が１番の親オブジェクトの情報と同じ１種類の情報のオブジェクトに容易に変更することが可能となる。また、ユーザは、選択手段によって印刷領域の１個のオブジェクトを選択することによって、この選択したオブジェクトと同じ情報のオブジェクトから構成されるグループを作成することができる。従って、ユーザは、レイアウトの印刷領域に１種類の情報の複数オブジェクトを容易に作成し、グループ化して入力することが可能となる。
【００１４】
また、請求項２に係るラベルデータ作成装置では、ユーザは、グループ化された複数のオブジェクトのうちの親オブジェクトの情報を変更するだけで、グループ内の他のオブジェクトの情報を親オブジェクトの情報と同じにすることができる。従って、ユーザは、レイアウトの印刷領域に入力した複数のオブジェクトのうちの親オブジェクトの情報を変更するだけで、グループ内のオブジェクトを同じ１種類の情報のオブジェクトに容易に更新することが可能となる。
【００１５】
【００１６】
また、請求項３に係るラベルデータ作成装置では、ユーザは、順位変更手段によって印刷領域の複数のオブジェクトの順位を変更することができる。従って、ユーザは、所望の情報を有するオブジェクトの順位を１番に変更することによって、印刷領域内の複数のオブジェクトを所望の情報を有する１種類のオブジェクトに設定することが可能となる。
【００１７】
また、請求項４に係るラベルデータ作成装置では、ユーザは、印刷領域内の複数のオブジェクトから構成される各グループを容易に識別することが可能となる共に、各グループ内の親オブジェクトを容易に識別することができる。従って、ユーザは、所望のグループを容易に選択して、親オブジェクトを変更することによって、所望のグループ内の全オブジェクトを迅速に変更することが可能となる。
【００１８】
また、請求項５に係るラベルデータ作成装置では、ユーザは、印刷領域内のテキスト又はアレンジテキスト又はバーコードのいずれかのオブジェクトを選択手段によって選択することにより、印刷領域内の複数のオブジェクトを親オブジェクトの情報と同じ１種類の情報のオブジェクトに容易に変更することが可能となる。
【００１９】
また、請求項６に係るプログラムでは、コンピュータは当該プログラムを読み込むことによって、請求項１乃至請求項５のいずれかに記載のラベルデータ作成装置として機能することができる。
【００２０】
更に、請求項７に係る記録媒体では、請求項１乃至請求項５のいずれかに記載のラベルデータ作成装置の機能をコンピュータで実行されるプログラムとして備えることができる。このようなプログラムの場合、例えば、半導体メモリ、ハードディスク、フロッピー（登録商標）ディスク、データカード（ＩＣカード、磁気カード等）、光ディスク（ＣＤ−ＲＯＭ、ＤＶＤ等）、光磁気ディスク（ＭＤ等）、相変化ディスク、磁気テープ等のコンピュータで読み取り可能な記録媒体に記録し、必要に応じてコンピュータにロードして起動することにより用いることができる。この他、ＲＯＭやバックアップＲＡＭに前記プログラムを記録しておき、このＲＯＭやバックアップＲＡＭをコンピュータに組み込んで用いてもよい。
【発明を実施するための最良の形態】
【００２１】
以下、本発明に係るラベルデータ作成装置、プログラム及び記録媒体をラベル印刷システムについて、具体化した一実施例に基づいて図面を参照しつつ詳細に説明する。
【００２２】
先ず、本実施例に係るラベル印刷システム１の概略構成について図１に基づき説明する。図１は本実施例に係るラベル印刷システム１の概略構成を示す図である。
図１に示すように、本実施例に係るラベル印刷システム１は、パーソナルコンピュータ等から構成されるラベルデータ作成装置の一例としてのコンピュータ装置２と、このコンピュータ装置２と信号ケーブルＫ１を介して接続されるテープ印刷装置３とから構成されている。
また、コンピュータ装置２は、ホストコントローラ４、表示装置（例えば、ＣＲＴ、ＬＣＤ等）５、キーボード６、マウス７、イメージスキャナ８、及びＣＤリード・ライター（ＣＤ−Ｒ／Ｗ）９から構成されている。尚、マウス７は、ジョイスティックやトラックボール等に置き換えてもよい。また、ＣＤ−Ｒ／Ｗ９は、ＭＯ装置、ＤＶＤ装置等に置き換えてもよい。
【００２３】
次に、テープ印刷装置３の概略構成について図２乃至図５に基づいて説明する。
図２はテープ印刷装置３にロールシートホルダ１３が装着された状態を上カバー１４を開けて示す右側上方からの斜視図である。図３はロールシートホルダ１３をテープ印刷装置に装着した状態を示す側断面図である。図４はテープ印刷装置３の上カバー１４が開かれた状態を示す左前側上方からの斜視図である。図５はテープ印刷装置３の上カバー１４が開かれた状態を示す左後側上方からの斜視図である。
【００２４】
図２乃至図５に示すように、テープ印刷装置３は、樹脂製の本体筐体１１と、所定幅のロールシート１２Ａが巻回されたロールシートホルダ１２を収納するロールシートホルダ収納部１３の上側を覆うように後側上端縁部に開閉自在に取り付けられた透明樹脂製の側面視略半円形状に形成された上カバー１４とから構成されている。このロールシート１２Ａは、自己発色性を有する長尺状の感熱シート（いわゆる、サーマルペーパー）や、該感熱シートの片面に粘着剤を介して離形紙が貼り合わされた長尺状の無定長ロールシート１２Ａや、この無定長ロールシート１２Ａの感熱シートが予め所定形状に一定ピッチでハーフカットされたダイカット等で構成され、ロールシートホルダ１２に巻回されている。
【００２５】
また、上カバー１４の前側のフロントカバー１５には、印刷されたロールシート１２Ａを外部に排出するシート排出口１５Ａが形成されている。また、このシート排出口１５Ａの上側の前面部には電源ボタン１６Ａ、押下することによってシート排出口１５Ａの内側に設けられたカッターユニット１７（図３参照）を駆動させてロールシート１２Ａを切断するカットボタン１６Ｂ、押下することによってロールシート１２Ａを一定量搬送方向に排出するフィードボタン１６Ｃが略水平に配置されている。
【００２６】
ここで、カッターユニット１７は、図３に示すように、固定刃１７Ａと可動刃１７Ｂから構成され、可動刃１７ＢがＤＣモータ等で構成される切断用モータ８４により上下方向に往復移動される。そして、印刷済みロールシート１２Ａの搬送方向後側の切断位置が、固定刃１７Ａに対向する位置まで搬送された場合には、切断用モータ８４により可動刃１７Ｂを上下方向に移動させることによって、この印刷済みロールシート１２Ａが切断される。また、固定刃１７Ａと可動刃１７Ｂとによって切断されたロールシート１２Ａは、シート排出口１５Ａから排出される。尚、可動刃１７Ｂは正面視Ｖ字形に構成されている。
【００２７】
また、図２及び図３に示すように、トレイ部材１８がフロントカバー１５の前側を覆うように、このフロントカバー１５の下端縁部に開閉自在に取り付けられ、上端部に形成された凹み部１８Ａに指を掛けて前側に回動させて開くことができるように構成されている。
また、図５に示すように、本体筐体１１の背面部には不図示の電源コードが接続されるインレット１９が配設されると共に、その横側（図５中、左側である。）には、信号ケーブルＫ１が接続されるＵＳＢ（Universal Serial Bus）コネクタ２０が設けられている。
【００２８】
また、図２、図４及び図５に示すように、テープ印刷装置３は、ロールシートホルダ収納部１３の搬送方向に対して略垂直方向の一方の側端縁部（図２中、右側側端縁部）に、ロールシートホルダ１２を構成する位置決め保持部材２１の外側方向に突設される断面略矩形状の取付部材２２を嵌め込むことができるホルダ支持部材２３が設けられている。このホルダ支持部材２３には、幅方向上方に開口すると共に幅方向両側に開口する正面視略縦長Ｕの字状の第１位置決め溝部２４が形成されている。
【００２９】
また、ロールシート１２Ａを挿入する挿入口２６（図３参照）の後端縁部からロールシートホルダ収納部１３の前側上端縁部まで略水平に延出された載置部２９が設けられている。また、この載置部２９の搬送方向後側の端縁角部には、ロールシート１２Ａの複数の幅寸法に対応して断面略Ｌ字状の５個の第２位置決め溝部３０Ａ〜３０Ｅが形成されている。この各第２位置決め溝部３０Ａ〜３０Ｅは、図３に示すように、ロールシートホルダ１２を構成するガイド部材２８の載置部２９に当接する先端下端部分を上方から嵌め込むことができるように形成されている。
【００３０】
また、ロールシートホルダ収納部１３の底面部には、ホルダ支持部材２３の内側基端部から対向する側面部基端部まで搬送方向に対して略垂直に平面視横長四角形の位置決め凹部１３Ａが所定深さ（本実施形態では、約１．５〜３ｍｍの深さである。）で形成されている。この位置決め凹部１３Ａの搬送方向幅寸法は、ロールシートホルダ１２を構成する位置決め保持部材２１及びガイド部材２８の各下端縁部の幅寸法にほぼ等しくなるように形成されている。
【００３１】
また、位置決め凹部１３Ａのホルダ支持部材２３の内側基端部には、位置決め保持部材２１の下端縁部から略直角内側方向に延出されるシート判別部６０（図６参照）に対向する部分が、位置決め凹部１３Ａよりもさらに所定深さ（本実施形態では、約１．５〜３ｍｍの深さである。）だけ深くなるように形成された搬送方向に縦長の平面視長四角形の判別凹部１３Ｂが形成されている。
【００３２】
また、この判別凹部１３Ｂには、プッシュ式のマイクロスイッチ等から構成されて、ロールシート１２Ａの種別、材質、ロールシート幅等を判別するための６個のシート判別センサＰ１、Ｐ２、Ｐ３、Ｐ４、Ｐ５、Ｐ６がＬ字状に設けられている。
【００３３】
この各シート判別センサＰ１〜Ｐ６は、プランジャーとマイクロスイッチ等から構成される公知の機械式スイッチからなり、該各プランジャーの上端部は、該判別凹部１３Ｂの底面部から位置決め凹部１３Ａの底面部近傍まで突き出るように設けられている。そして、この各シート判別センサＰ１〜Ｐ６に対して位置決め保持部材２１の下端縁部から略直角内側方向に延出されるシート判別部６０に形成される各センサ孔６０Ａ〜６０Ｆ（図６参照）が有るか否かを検出して、そのオン・オフ信号によりロールシートホルダ１２に装着されたロールシート１２Ａの種別、材質、ロールシート幅等を検出するものである。
【００３４】
尚、本実例の場合は、各シート判別センサＰ１〜Ｐ６は、そのプランジャーが常には、判別凹部１３Ｂの底面から位置決め凹部１３Ａの底面部近傍まで突き出しており、マイクロスイッチがオフ状態になっている。そして、シート判別部６０の各センサ孔６０Ａ〜６０Ｆが、各シート判別センサＰ１〜Ｐ６に対向する位置に有る場合には、プランジャーが押下されずマイクロスイッチがオフ状態にあるので、オフ信号が出力される。
【００３５】
一方、シート判別部６０の各センサ孔６０Ａ〜６０Ｆが、各シート判別センサＰ１〜Ｐ６に対向する位置に無い場合には、プランジャーが押下されてマイクロスイッチがオン状態になるので、オン信号が出力される。従って、各シート判別センサＰ１〜Ｐ６によって６ビットの「０」、「１」信号が出力され、各シート判別センサＰ１〜Ｐ６が全てオフ状態の場合、即ち、ロールシートホルダ１２が装着されていない場合には、６ビットの「００００００」の信号が出力される。
【００３６】
また、ホルダ収納部４のホルダ支持部材２３と反対側の側端縁部に対向する上カバー１４の開口部周縁の内側には、断面円形状でリンクレバー３４の厚さにほぼ等しい高さに形成された係合軸３３が立設されている。そして、この係合軸３３には、サーマルヘッド３２（図３参照）を上下動させるリンクレバー３４の一方の端縁部に形成された貫通孔が嵌め込まれ、このリンクレバー３４の端縁部が回動可能且つ着脱可能に取り付けられている。
【００３７】
また、図３に示すように、挿入口２６のロールシート搬送方向奥側には、プラテンローラ３５のローラ軸３５Ａが回転自在に軸支されている。また、サーマルヘッド３２は押圧バネ３６によって上方に付勢されているヘッド支持部材３７の上面に固定されている。また、このヘッド支持部材３７の搬送方向に対して後側の端縁部は、フレーム３８の背面部によって上下方向に揺動可能に支持されている。
【００３８】
そして、この上カバー１４を後側方向に回動して開くことにより、リンクレバー３４が上カバー１４の動きに連動して後側方向に移動して、サーマルヘッド支持部材３７が下方に移動されて、サーマルヘッド３２が対向配置されているプラテンローラ３５から離間される。これにより、ロールシート１２Ａを挿入口２６から挿通して、プラテンローラ３５とサーマルヘッド３２との間に挿通可能な状態になる。
【００３９】
また、上カバー１４を閉じた場合には、リンクレバー３４が上カバー１４の動きに連動して前側方向に移動し、サーマルヘッド支持部材３７が上方に移動されて、サーマルヘッド３２が押圧バネ３６によってロールシート１２Ａをプラテンローラ３５に押圧付勢して印刷可能な状態になる。
また、ロールシートホルダ収納部１３の下側には、仕切壁３９を介して、コンピュータ装置２からの指令によりサーマルヘッド３２等の各機構部を駆動制御する制御回路部等が形成された制御基板４０が設けられている。
【００４０】
次に、ロールシートホルダ１２の概略構成について図６に基づいて説明する。
図６はロールシート１２Ａが装着されたロールシートホルダ１２の一例を示す下方からの斜視図である。
【００４１】
図６に示すように、巻芯に巻回されたロールシート１２Ａが回転可能に装着されるロールシートホルダ１２は、下記のように構成されている。
ロールシートホルダ１２を構成するガイド部材２８は、下側方向に延出されて、ロールシートホルダ収納部１３の底面部に形成される位置決め凹部１３Ａに嵌入されて該位置決め凹部１３Ａの底面に当接される第１延出部６３が形成されている。また、ガイド部材２８は、ロールシート１２Ａの前側方向略１／４円周上の外側端面部を覆うように載置部２９まで上側端縁部が前下がり状に延出される第２延出部６４が形成されている。
【００４２】
この第２延出部６４の下端面は略水平に形成され、先端側下端部は、装着されたロールシート１２Ａのシート幅に対向する各第２位置決め溝部３０Ａ〜３０Ｅのいずれかに嵌入されるように構成されている。また、この第２延出部６４の内側面によって装着されたロールシート１２Ａの一側端縁部を挿入口２６まで案内するように構成されている（図２参照）。
【００４３】
また、ガイド部材２８の内側面と位置決め保持部材２１の内側面に立設されたホルダ軸部材６２によって、ロールシート１２Ａが巻回された巻芯が回転可能に保持される。尚、ホルダ軸部材６２は、ロールシート１２Ａの巻芯の各長さ寸法に対応して複数種類（本実施例では、１２ｍｍ、１７ｍｍ、２９ｍｍ、３８ｍｍ、６２ｍｍの５種類である。）の長さ寸法のものが設けられている。
【００４４】
また、位置決め保持部材２１の取付部材２２は、正面視下方向（図６中、下方向）に幅狭になるように形成され、テープ印刷装置３のホルダ支持部材２３の下方向に幅狭な第１位置決め溝部２４内に密着可能に形成されている。また、この取付部材２２の突出高さ寸法は、この第１位置決め溝部２４の幅寸法にほぼ等しく形成されている。これにより、ロールシートホルダ１２を装着する場合は、取付部材２２を第１位置決め溝部２４に挿入することによって、該ロールシートホルダ１２を位置決めしつつ装着することができる。
【００４５】
また、位置決め保持部材２１の下端縁部は、ガイド部材２８の下端縁部よりも所定長さ（本実施例では、約１ｍｍ〜２．５ｍｍである。）下側方向に突出するように延出されると共に、該下端縁部には、略直角内側方向に所定長さ延出される略長四角形のシート判別部６０が形成されている。また、このシート判別部６０には、上述したように、各シート判別センサＰ１〜Ｐ６に対向する所定位置に貫通した各センサ孔６０Ａ〜６０Ｆが略Ｌ字状に配置されて形成される。尚、図６中、各センサ孔６０Ａ〜６０Ｆのうちの各センサ孔６０Ａ〜６０Ｃが、シート判別部６０に形成された状態を示している。
【００４６】
これにより、各センサ孔６０Ａ〜６０Ｆは、６個のうちの最大５個形成されるため、各センサ孔６０Ａ〜６０Ｆ毎の有無を「１」と「０」に対応させることにより、該ロールシートホルダ１２に装着されたロールシート１２Ａの種別、材質、ロールシート幅等を「０００００１」〜「１１１１１１」の６ビットの符号によって表示することができる。尚、「００００００」の６ビットの符号は、ロールシートホルダ１２が装着されていないことを表している。
【００４７】
次に、ラベル印刷システム１を構成するコンピュータ装置２の回路構成について図７に基づいて説明する。図７は図１に示すコンピュータ装置２の要部の回路構成を示す回路ブロック図である。
図７に示すように、コンピュータ装置２のホストコントローラ４は、ＣＰＵ４１、ＲＯＭ４２、ＲＡＭ４３、入出力インターフェース（Ｉ／Ｆ）４４、通信用インターフェース（Ｉ／Ｆ）４５、フロッピー（登録商標）ディスクコントローラ（ＦＤＣ）４６、フロッピー（登録商標）ディスクドライブ（ＦＤＤ）４７、ハードディスクコントローラ（ＨＤＣ）４８、ハードディスクドライブ（ＨＤＤ）４９、表示装置コントローラ５０、モデム５１等を備えている。また、ＣＰＵ４１、ＲＯＭ４２、ＲＡＭ４３、入出力インターフェース（Ｉ／Ｆ）４４、通信用インターフェース（Ｉ／Ｆ）４５、及びモデム５１は、バス線５２により相互に接続されて、相互にデータのやり取りが行われる。また、入出力Ｉ／Ｆ４４には、ＦＤＤ４７を駆動制御するＦＤＣ４６を介してＦＤＤ４７、ＨＤＤ４９を駆動制御するＨＤＣ４８を介してＨＤＤ４９、及び表示装置コントローラ５０が接続されている。また、モデム５１には電話回線５３が接続されている。
【００４８】
そして、ホストコントローラ４には、入出力Ｉ／Ｆ４４を介して文字や記号等を入力するためのキーボード６、表示装置５の表示画面上の座標を入力するためのマウス７、図面から外形線データ等を取り込むためのイメージスキャナ８、及び印刷用データや後述のレイアウト編集画面８９（図１２参照）を表示するレイアウト編集ソフト等の各種アプリケーションソフトウェア等をＣＤ−ＲＯＭ５６に書き込み及び読み込むためのＣＤ−Ｒ／Ｗ９が接続されている。また、ホストコントローラ４には、表示装置コントローラ５０を介して表示装置５が接続され、後述のようにレイアウト編集画面８９が表示され、無定長ロールシート１２Ａのレイアウト等が表示される。更に、ホストコントローラ４には、通信用Ｉ／Ｆ４５及び信号ケーブルＫ１を介してテープ印刷装置３が接続される。
【００４９】
また、ＣＰＵ４１は、ラベル印刷システム１全体を制御し、ラベル印刷システム１の動作に関する全てのデータを管理する。また、ＲＯＭ４２には、一般のパーソナルコンピュータと同様に電源投入時にコンピュータ装置２を立ち上げてＣＰＵ４１を起動させるための起動プログラムが格納されている。
【００５０】
また、ＲＡＭ４３は、ＣＰＵ４１が種々の制御を実行する際に、各種データを一時的に記憶するものであり、画像データ等のオブジェクト情報を記憶するオブジェクト情報記憶エリア４３Ａ、テープ印刷装置３に送信するテンプレートデータやキーボード６等を介して入力された文字列データや図柄データ等からなるラベルデータが記憶されるラベルデータ記憶エリア４３Ｂ等が設けられている。
また、通信用Ｉ／Ｆ４５は、例えば、セントロニクスインターフェースやＵＳＢ（UniversalSerial Bus）等から構成され、テープ印刷装置３や外部の電子機器（例えば、コンピュータ、レーザプリンタ等）と双方向データ通信が可能になっている。
【００５１】
また、ＨＤＤ４９に装着されるハードディスクには、ＭＳ−ＤＯＳ（登録商標）やウィンドウズ（登録商標）システム等の各種オペレーティングシステム（ＯＳ）に加えて、テープ印刷装置３や外部の電子機器に対してデータの送受信を行うための通信用プロトコル、ブラウザや当該ＯＳにて実行可能なワープロソフトや印刷用ラベルデータを作成するレイアウト編集ソフト等の各種アプリケーションソフトウェアが必要に応じて格納されている。
また、ＦＤＤ４７に着脱自在に装着されるフロッピー（登録商標）ディスク（ＦＤ）５５には、各種印刷データが格納保存される。
【００５２】
また、ＣＤ−Ｒ／Ｗ９に着脱自在に装着される光ディスク（ＣＤ−ＲＯＭ）５６には、後述する印刷領域にテキストやオブジェクトを挿入表示して編集するレイアウト編集画面８９等の制御処理の制御プログラム等と共に、ＧＩＦ、ＪＰＥＧ、ＢＭＰ等の様々な形式の各種オブジェクトのオブジェクト情報（例えば、オブジェクト名、オブジェクトの原画像の縦寸法、オブジェクトの原画像の横寸法、画像データ等である。）が記録されて、各種ラベル作成装置に供給される。
【００５３】
次に、ラベル印刷システム１を構成するテープ印刷装置３の回路構成について図８乃至図１０に基づき説明する。
図８は図１に示すテープ印刷装置３の要部の回路構成を示す回路ブロック図である。図９はテープ印刷装置３のＲＯＭに記憶されるシート種類テーブルの一例を示す図である。図１０はテープ印刷装置３のＲＯＭに記憶されるダイカット種類テーブルの一例を示す図である。
【００５４】
図８に示すように、テープ印刷装置３の制御基板４０上に形成される制御回路部７０は、ＣＰＵ７１、ＣＧ（キャラクタジェネレータ）ＲＯＭ７２、ＲＯＭ７３、フラッシュメモリ（ＥＥＰＲＯＭ）７４、ＲＡＭ７５、入出力インターフェース（Ｉ／Ｆ）７６、通信用インターフェース（Ｉ／Ｆ）７７等を備えている。また、ＣＰＵ７１、ＣＧＲＯＭ７２、ＲＯＭ７３、フラッシュメモリ７４、ＲＡＭ７５、入出力インターフェース（Ｉ／Ｆ）７６、通信用インターフェース（Ｉ／Ｆ）７７は、バス線７８により相互に接続されて、相互にデータのやり取りが行われる。
【００５５】
ここに、ＣＧＲＯＭ７２には各キャラクタに対応するドットパターンデータが記憶されており、ドットパターンデータがＣＧＲＯＭ７２から読み出され、そのドットパターンデータに基づいてロールシート１２Ａの感熱シート上にドットパターンが印刷される。
また、ＲＯＭ７３は、各種のプログラムを記憶させておくものであり、無定長ロールシート１２Ａのラベル作成処理プログラム等のテープ印刷装置３の制御上必要な各種のプログラムが記憶されている。また、ＲＯＭ７３には、各シート判別センサＰ１〜Ｐ６から入力される６ビットの各符号に対するロールシート１２Ａの種別が格納されたシート種類テーブル７３１（図９参照）や、各シート判別センサＰ１〜Ｐ６から入力される６ビットの各符号に対するロールシート１２Ａの感熱シートの材質等が記憶されている。また、ＲＯＭ７３には、各ダイカットのダイカットラベルの寸法が格納されたダイカット種類テーブル７３２（図１０参照）が記憶されている。
【００５６】
ここで、各シート判別センサＰ１〜Ｐ６から入力される６ビットの各符号に対するロールシート１２Ａの種別が格納されたシート種類テーブル７３１の一例について図９に基づいて説明する。
図９に示すように、シート種類テーブル７３１は、各シート判別センサＰ１〜Ｐ６から入力される６ビットの符号を表す「シート判別センサ」と、各６ビットの符号に対応するロールシート１２Ａの種類を表す「ロールシート種類」とから構成されている。
【００５７】
例えば、「シート判別センサ」が「１１０１００」に対応する「ロールシート種類」には、１２ｍｍ幅の無定長ロールシート１２Ａを表す「１２ｍｍ無定長」が格納されている。また、「シート判別センサ」が「１１１００１」に対応する「ロールシート種類」には、１２ｍｍ幅の無定長ロールシート１２Ａの感熱シートが予め所定形状に一定ピッチでハーフカットされたダイカットを表す「１２ｍｍダイカット１」が格納されている。
【００５８】
ここで、各ダイカットのダイカットラベルの寸法が格納されたダイカット種類テーブル７３２の一例について図１０に基づいて説明する。
図１０に示すように、ダイカット種類テーブル７３２は、ダイカットの種類を表す「ダイカット種類」と、ハーフカットされたダイカットラベルの寸法を表す「幅×長さ」とから構成されている。例えば、「ダイカット種類」が「１２ｍｍダイカット１」に対応する「幅×長さ」には、「１２ｍｍ×５４ｍｍ」が格納されている。つまり、「１２ｍｍダイカット１」は、１２ｍｍ幅の無定長ロールシート１２Ａの感熱シートが予め「１２ｍｍ×５４ｍｍ」のダイカットラベルに一定ピッチでハーフカットされている。
【００５９】
そして、ＣＰＵ７１はかかるＲＯＭ７３に記憶されている各種のプログラムに基づいて各種の演算を行なうものである。また、ＲＯＭ７３には、多数の文字等のキャラクタのそれぞれについて、各キャラクタの輪郭線を規定する輪郭線データ（アウトラインデータ）が各書体（ゴシック系書体、明朝体系書体等）毎に分類されてコードデータに対応して記憶されている。このアウトラインデータに基づいてドットパターンデータが印刷バッファ７５Ａ上に展開される。
【００６０】
また、フラッシュメモリ７４は、外部のコンピュータ装置２等から受信した外字データ等のドットパターンデータや各種図柄データのドットパターンデータ等に登録番号を付して記憶させておくものであり、テープ印刷装置３の電源をオフしても記憶内容を保持している。
【００６１】
また、ＲＡＭ７５は、ＣＰＵ７１により演算された各種の演算結果を一時的に記憶させておくためのものであり、印刷バッファ７５Ａ、ワーク領域７５Ｂ等の各種のメモリが設けられている。また、印刷バッファ７５Ａには、複数の文字や記号等の印刷用ドットパターンや各ドットの形成エネルギ量である印加パルス数等がドットパターンデータとして格納され、サーマルヘッド３２はかかる印刷バッファ７５Ａに記憶されているドットパターンデータに従ってドット印刷を行う。
【００６２】
また、入出力Ｉ／Ｆ７６には、シート判別センサＰ１〜Ｐ６、サーマルヘッド３２を駆動する為の駆動回路８１、プラテンローラ３５を回転駆動するシート送りモータ８２を駆動するために駆動回路８３、可動刃１７Ｂを上下に往復移動させる切断用モータ８４を駆動するための駆動回路８５等がそれぞれ接続されている。
【００６３】
また、通信用Ｉ／Ｆ７７は、ＵＳＢコネクタ２０に接続され、外部のコンピュータ装置２と信号ケーブルＫ１によって接続され、双方向データ通信が可能になっている。従って、コンピュータ装置２のＣＰＵ４１からテープ印刷装置３に装着されているロールシート１２Ａに関する情報の送信要求があった場合には、ＣＰＵ７１は、各シート判別センサＰ１〜Ｐ６の出力信号に基づいて当該テープ印刷装置３に装着されているロールシート１２Ａに関する情報をシート種類テーブル７３１やダイカット種類テーブル７３２等から読み出し、コンピュータ装置２に送信する。また、ＣＰＵ７１は、コンピュータ装置２のＣＰＵ４１から送信された印刷指示コマンドと印刷データに基づいてラベルシートを作成する。
【００６４】
次に、このように構成されたテープ印刷システム１のコンピュータ装置２のＣＰＵ４１によるロールシート１２Ａに印刷する複数のオブジェクトから構成されるリンクオブジェクトを作成・更新するリンクオブジェクト作成・更新処理について図１１乃至２３に基づいて説明する。
【００６５】
図１１は図１に示すコンピュータ装置２のＣＰＵ４１によるロールシート１２Ａに印刷する複数のオブジェクトから構成されるリンクオブジェクトを作成・更新するリンクオブジェクト作成・更新処理を示すメインフローチャートである。図１２は図１１の「リンクオブジェクト作成処理」のサブ処理を示すサブフローチャートである。図１３は図１１の「リンクオブジェクト更新処理」のサブ処理を示すサブフローチャートである。図１４はレイアウトに１個のオブジェクトを入力した一例を示す図である。図１５はレイアウトに複数のオブジェクトを入力した一例を示す図である。図１６は図１５のレイアウトの複数のオブジェクトを選択してリンクオブジェクトの作成を指示する一例を示す図である。図１７は図１６の複数のオブジェクトからリンクオブジェクトを作成した一例を示す図である。図１８は図１４のレイアウトの１個のオブジェクトを選択してテキストのリンクオブジェクトの作成を指示する一例を示す図である。図１９は図１８の１個のオブジェクトからテキストの子オブジェクトからなるリンクオブジェクトを作成した一例を示す図である。図２０は図１４の１個のオブジェクトからテキストの子オブジェクトとアレンジテキストの子オブジェクトとバーコードの子オブジェクトからなるリンクオブジェクトを作成した一例を示す図である。図２１は図１７のリンクオブジェクトを更新する一例を示す図である。図２２は図１９のリンクオブジェクトを更新した一例を示す図である。図２３は図２０のリンクオブジェクトを更新した一例を示す図である。
【００６６】
図１１に示すように、先ず、ステップ（以下、Ｓと略記する）１１において、コンピュータ装置２のＣＰＵ４１は、コンピュータ装置２のホストコントローラ４全体の初期化を行う。具体的には、ＣＰＵ４１、ＲＡＭ４３、入出力インターフェース４４及び通信用インターフェース４５の動作チェックや初期化を行い、更に入出力インターフェース４４に接続されている表示装置５の初期化を行う。そして、異常がなければ、ＣＰＵ４１は、ＲＡＭ４３に格納するデータや各部機能の初期化を行う。
【００６７】
これらが完了後、ＣＰＵ４１は、無定長ロールシート１２Ａ等に印刷するラベルデータを作成するためのレイアウト編集ソフトが起動された場合には、通信用インターフェース４５を介して、テープ印刷装置３のＣＰＵ７１から当該テープ印刷装置３に装着されているロールシート１２Ａの種類（無定長ロールシート、ダイカット等である。）、シート幅、ダイカットラベルの寸法等のロールシート１２Ａに関する情報を取得する。続いて、ＣＰＵ４１は、テープ印刷装置３から取得したロールシート１２Ａに関する情報に基づいて、表示装置５の表示画面に後述のレイアウト編集画面８９（図１４参照）を表示する。
【００６８】
続いて、Ｓ１２において、ＣＰＵ４１は、キーボード６によるキー入力やマウス７によるメニューボタン等のクリック入力を待つ（Ｓ１２：ＮＯ）。
そして、キーボード６によるキー入力やマウス７によるメニューボタン等のクリック入力がされた場合には（Ｓ１２：ＹＥＳ）、ＣＰＵ４１は、Ｓ１３の処理に移行する。Ｓ１３において、ＣＰＵ４１は、キーボード６からテキストや図形等のオブジェクトが入力されたか否かを判定する判定処理を実行する。そして、キーボード６からテキストや図形等のオブジェクトが入力されていない場合には（Ｓ１３：ＮＯ）、ＣＰＵ４１は、後述のＳ１９の処理に移行する。
【００６９】
一方、キーボード６からテキストや図形等のオブジェクトが入力された場合には（Ｓ１３：ＹＥＳ）、ＣＰＵ４１は、Ｓ１４の処理に移行する。Ｓ１４において、ＣＰＵ４１は、レイアウト編集画面８９に表示された無定長ロールシート１２Ａ等を表す長四角形のレイアウト９１（図１４参照）上に入力されたオブジェクトを挿入すると共に、各オブジェクトに対して入力順に順位をセット後、Ｓ１５の処理に移行する。
【００７０】
ここで、キーボード６からのテキストや図形等のオブジェクトの入力例を図１４及び図１５に基づいて説明する。尚、レイアウト編集ソフトが起動された場合には、無定長ロールシート１２Ａの印刷モードは、自由長印刷モードに設定され、印刷するテキストは横書きに設定される。
【００７１】
図１４に示すように、ＣＰＵ４１は、表示装置５に、レイアウト表示画面９０が形成されたレイアウト編集画面８９を表示する。そして、テープ印刷装置３にシート幅が１２ｍｍの無定長ロールシート１２Ａが装着されている場合には、ＣＰＵ４１は、レイアウト表示画面９０に無定長ロールシート１２Ａを表す幅が１２ｍｍで搬送方向所定長さ（本実施例では、約２５ｍｍである。）の長四角形のレイアウト９１を、印刷するテキストが横書きであるため、レイアウト９１の搬送方向がレイアウト表示画面９０の左右方向に沿うように表示する。そして、レイアウト９１の内側に四角形の印刷領域９１Ａを細い破線で表示する。
【００７２】
また、ＣＰＵ４１は、印刷するテキストが横書きであると共に、無定長ロールシート１２Ａが装着されていることを表すため、幅が１２ｍｍの半透明横長四角形のシルエット９２をレイアウト９１の右側端縁部（搬送方向後側）からレイアウト表示画面９０の側端縁部まで表示する。尚、シルエット９２は、自由長印刷モードで設定可能な自由長さの最大長さに対応する長さまで表示可能である。また、ＣＰＵ４１は、レイアウト９１の左側端縁部（搬送方向先端縁部）の外側に、該左側端縁部に平行にシート幅を表す「１２ｍｍ」の文字列を表示して、当該レイアウト９１の搬送方向を表す。
【００７３】
そして、マウス７で印刷領域９１Ａがクリックされた後、キーボード６から「１」、「２」、「３」が入力されてリターンキーが押下された場合には、ＣＰＵ４１は、自由長印刷モードに設定されているため、印刷領域９１Ａに入る最大フォントサイズで「１２３」のテキストのオブジェクト９４を太い破線９４Ａで囲んで表示すると共に、このレイアウト９１を３文字分の長さに横方向に縮小する。また、同時に、ＣＰＵ４１は、シルエット９２の左端部が、レイアウト９１に接続されるように延長表示する。また、ＣＰＵ４１は、このオブジェクト９４のレイアウト９１上における順位を１番にセットしてＲＡＭ４３に記憶する。
【００７４】
また、図１５に示すように、図１４の状態でキーボード６から「４」、「５」、「６」が入力されてリターンキーが押下され、更に、キーボード６から「Ａ」、「Ｂ」、「Ｃ」が入力されてリターンキーが押下された場合には、先ず、印刷領域９１Ａに入る最大フォントサイズで「４５６」のテキストのオブジェクト９５を太い破線９５Ａで囲んで、オブジェクト９４と少し間を空けて表示する。
【００７５】
そして、更に印刷領域９１Ａに入る最大フォントサイズで「ＡＢＣ」のテキストのオブジェクト９６を太い破線９６Ａで囲んで、オブジェクト９５と少し間を空けて表示すると共に、このレイアウト９１を各オブジェクト９４、９５、９６が印刷領域９１Ａに入るように横方向に拡大する。また、同時に、ＣＰＵ４１は、シルエット９２の左端部が、レイアウト９１に接続されるように縮めて表示する。また、ＣＰＵ４１は、各オブジェクト９５、９６のレイアウト９１上における順位をそれぞれ２番、３番にセットしてＲＡＭ４３に記憶する。
【００７６】
続いて、図１１に示すように、Ｓ１５において、ＣＰＵ４１は、リンクオブジェクトを作成するように指示するリンクオブジェクト作成指示が入力されたか否かを判定する判定処理を実行する。
ここで、リンクオブジェクト作成指示には、後述のように、テキストやアレンジテキストやバーコードの複数のオブジェクトを選択してリンクオブジェクトにするようにメニュー画面から指示する場合と、テキストやアレンジテキストやバーコードの１個のオブジェクトを選択してメニュー画面からテキスト又はアレンジテキスト又はバーコードの子オブジェクトを作成してリンクオブジェクトにするように指示する場合とがある（図１２参照）。
【００７７】
そして、リンクオブジェクト作成指示が入力された場合には（Ｓ１５：ＹＥＳ）、ＣＰＵ４１は、Ｓ１６の処理に移行する。Ｓ１６において、ＣＰＵ４１は、後述の「リンクオブジェクト作成処理」のサブ処理（図１２参照）を実行後、Ｓ１７の処理に移行する。Ｓ１７において、ＣＰＵ４１は、後述の「リンクオブジェクト更新処理」のサブ処理（図１３参照）を実行後、再度Ｓ１２以降の処理を実行する。
【００７８】
一方、リンクオブジェクト作成指示が入力されていない場合には（Ｓ１５：ＮＯ）、ＣＰＵ４１は、Ｓ１８の処理に移行する。Ｓ１８において、ＣＰＵ４１は、リンクオブジェクトを構成する親オブジェクトが変更されたか否かを判定する判定処理を実行する。
そして、リンクオブジェクトの親オブジェクトが変更された場合には（Ｓ１８：ＹＥＳ）、ＣＰＵ４１は、Ｓ１７の処理に移行する。
【００７９】
一方、リンクオブジェクトの親オブジェクトが変更されていない場合には（Ｓ１８：ＮＯ）、ＣＰＵ４１は、Ｓ１９の処理に移行する。Ｓ１９において、ＣＰＵ４１は、レイアウト編集ソフトの終了メニュー又は終了ボタンがマウス７でクリックされたか否かを判定する判定処理を実行する。そして、レイアウト編集ソフトの終了メニュー又は終了ボタンがマウス７でクリックされた場合には（Ｓ１９：ＹＥＳ）、ＣＰＵ４１は、レイアウト編集画面８９を表示装置５の表示画面から消去して、当該処理を終了する。
【００８０】
また、一方、レイアウト編集ソフトの終了メニュー又は終了ボタンがマウス７でクリックされていない場合には（Ｓ１９：ＮＯ）、ＣＰＵ４１は、Ｓ２０の処理に移行する。Ｓ２０において、ＣＰＵ４１は、その他の処理を実行する。その他の処理には、印刷メニュー画面の呼び出し指示に対する印刷メニュー画面の表示や、印刷メニューのマウス７によるクリックに対するテープ印刷装置３に対するラベルデータの出力処理等が含まれる。そして、その他の処理が完了すると、ＣＰＵ４１は、再度、Ｓ１２以降の処理を実行する。
【００８１】
次に、上記Ｓ１６で実行される「リンクオブジェクト作成処理」のサブ処理について図１２に基づいて説明する。
図１２に示すように、先ず、Ｓ１１１において、ＣＰＵ４１は、レイアウト９１上のテキストやアレンジテキストやバーコードの複数のオブジェクトが選択されて、リンクオブジェクトにするようにメニュー画面から指示されたか否かを判定する判定処理を実行する。
【００８２】
そして、レイアウト９１上のテキストやアレンジテキストやバーコードの複数のオブジェクトが選択されて、リンクオブジェクトにするようにメニュー画面から指示された場合には（Ｓ１１１：ＹＥＳ）、ＣＰＵ４１は、Ｓ１１２の処理に移行する。Ｓ１１２において、ＣＰＵ４１は、選択された複数のオブジェクトのそれぞれの順位をＲＡＭ４３から読み出し、順位が１番目のオブジェクトをリンクオブジェクトを構成する親オブジェクトに設定し、当該リンクオブジェクトを識別するグループＩＤを親オブジェクトに付してＲＡＭ４３に記憶する。尚、グループＩＤは、１番目に設定した親オブジェクトに「１」のグループＩＤを付し、その後に親オブジェクトを設定する毎に、前回設定した親オブジェクトに付したグループＩＤに「１」加算したグループＩＤが、当該親オブジェクトに順次付される。
【００８３】
そして、Ｓ１１３において、ＣＰＵ４１は、選択された複数のオブジェクトから親オブジェクトを除く残りのオブジェクトのそれぞれの順位をＲＡＭ４３から読み出し、順位順に子オブジェクトに設定すると共に、親オブジェクトと同じグループＩＤを各子オブジェクトに付してリンクオブジェクトを構成する子オブジェクトとしてＲＡＭ４３に記憶する。従って、親オブジェクトと各子オブジェクトは、同一グループＩＤが付されてグループ化される。
【００８４】
続いて、Ｓ１１４において、ＣＰＵ４１は、親オブジェクトと該親オブジェクトに付されたグループＩＤとをＲＡＭから読み出し、このグループＩＤが付された各子オブジェクトの情報に親オブジェクトの情報を書き込んで、つまり、各子オブジェクトの情報を親オブジェクトの情報に書き替えて、ＲＡＭ４３に記憶する。即ち、リンクオブジェクトを構成する各子オブジェクトの情報は、親オブジェクトと同じ情報を表すようになる。
【００８５】
例えば、親オブジェクトの情報が「１２３」のテキストで、子オブジェクトの情報が「４５６」のテキストの場合には、子オブジェクトの情報は、親オブジェクトと同じ情報を表す「１２３」のテキストに書き替えられて、親オブジェクトと同じグループＩＤが付されてＲＡＭ４３に記憶される。また、親オブジェクトの情報が「１２３」のテキストで、子オブジェクトの情報が「４５６」のバーコードの場合には、子オブジェクトの情報は、親オブジェクトと同じ情報を表す「１２３」のバーコードに書き替えられて、親オブジェクトと同じグループＩＤが付されてＲＡＭ４３に記憶される。また、親オブジェクトの情報が「１２３」のテキストで、子オブジェクトの情報が「４５６」のアレンジテキストの場合には、子オブジェクトの情報は、親オブジェクトと同じ情報を表す「１２３」のアレンジテキストに書き替えられて、親オブジェクトと同じグループＩＤが付されてＲＡＭ４３に記憶される。
【００８６】
そして、Ｓ１１５において、ＣＰＵ４１は、同一グループＩＤが付された親オブジェクト及び各子オブジェクトをＲＡＭ４３から読み出し、レイアウト９１上の選択された各オブジェクトを当該親オブジェクト及び各子オブジェクトに入れ替えて表示する。また、ＣＰＵ４１は、親オブジェクトと各子オブジェクトに、グループＩＤを表す識別記号を、当該親オブジェクトと各子オブジェクトとを識別可能に付して表示する。例えば、親オブジェクトにグループＩＤを丸印の中に表示した丸数字を付して表示し、各子オブジェクトにグループＩＤを四角印の中に表示した四角数字を付して表示する。その後、ＣＰＵ４１は、当該サブ処理を終了して、メインフローチャートのＳ１７の処理に移行する。
【００８７】
ここで、ユーザがレイアウト９１上の複数のオブジェクトを選択して、リンクオブジェクトにするようにメニュー画面から指示した一例を図１６及び図１７に基づいて説明する。
図１６に示すように、ユーザが、図１５の各オブジェクト９４〜９６を選択して、レイアウトボタン９７をマウス７でクリックした場合には、メニュー画面９８が表示される。そして、ユーザがメニュー画面９８に表示された「リンクオブジェクトにする（Ｉ）」のメニュー９９をマウス７でクリックした場合には、ＣＰＵ４１は、各オブジェクト９４〜９６が選択されて、リンクオブジェクトにするようにメニュー画面９８から指示されたと判定する（Ｓ１１１：ＹＥＳ）。
【００８８】
そして、ＣＰＵ４１は、図１６で選択された各オブジェクト９４〜９６の順位をＲＡＭ４３から読み出し、順位が１番目のオブジェクト９４を親オブジェクト１０１に設定し、親オブジェクト１０１に「１」のグループＩＤを付してＲＡＭ４３に記憶する（Ｓ１１２）。また、各オブジェクト９５、９６を各子オブジェクト１０２、１０３に設定し、親オブジェクト１０１と同じ「１」のグループＩＤを付してＲＡＭ４３に記憶する（Ｓ１１３）。
【００８９】
また、親オブジェクトの情報が「１２３」のテキストであることから、ＣＰＵ４１は、各子オブジェクト１０２、１０３の「４５６」、「ＡＢＣ」のテキストの情報を、「１２３」のテキストの情報に書き替えて、ＲＡＭ４３に記憶する（Ｓ１１４）。
【００９０】
続いて、図１７に示すように、ＣＰＵ４１は、「１２３」のテキストの情報を有する親オブジェクト１０１に「１」のグループＩＤを丸印の中に表示した丸数字「１」の識別記号１０１Ａを付して、レイアウト９１上のオブジェクト９４に替えて表示する。また、ＣＰＵ４１は、「１２３」のテキストの情報を有する子オブジェクト１０２に「１」のグループＩＤを四角印の中に表示した四角数字「１」の識別記号１０２Ａを付して、レイアウト９１上のオブジェクト９５に替えて表示する。
【００９１】
更に、ＣＰＵ４１は、「１２３」のテキストの情報を有する子オブジェクト１０３に「１」のグループＩＤを四角印の中に表示した四角数字「１」の識別記号１０３Ａを付して、レイアウト９１上のオブジェクト９６に替えて表示する（Ｓ１１５）。これにより、リンクオブジェクトを構成する親オブジェクト１０１及び各子オブジェクト１０２、１０３が、グループ化されてレイアウト９１上にリンクオブジェクトとして表示されると共に、当該親オブジェクト１０１と各子オブジェクト１０２、１０３とが識別可能に表示される。
【００９２】
一方、図１２に示すように、上記Ｓ１１１で、レイアウト９１上のテキストやアレンジテキストやバーコードの１個のオブジェクトを選択してメニュー画面からテキスト又はアレンジテキスト又はバーコードの子オブジェクトを作成してリンクオブジェクトにするように指示された場合には（Ｓ１１１：ＮＯ）、ＣＰＵ４１は、Ｓ１１６の処理に移行する。Ｓ１１６において、ＣＰＵ４１は、選択されたオブジェクトを、グループ化されたリンクオブジェクトの順位が１番目の親オブジェクトに設定し、当該リンクオブジェクトを識別するグループＩＤを親オブジェクトに付してＲＡＭ４３に記憶する。
【００９３】
続いて、Ｓ１１７において、ＣＰＵ４１は、メニュー画面で指示されたテキスト又はアレンジテキスト又はバーコードに対応した当該親オブジェクトと同じ情報を有する子オブジェクトを作成する。例えば、親オブジェクトの情報が「１２３」のテキストで、テキストの子オブジェクトを作成するように指示された場合には、ＣＰＵ４１は、「１２３」のテキストの情報を有する子オブジェクトを作成する。また、親オブジェクトの情報が「１２３」のテキストで、アレンジテキストの子オブジェクトを作成するように指示された場合には、ＣＰＵ４１は、「１２３」のアレンジテキストの情報を有する子オブジェクトを作成する。また、親オブジェクトの情報が「１２３」のテキストで、バーコードの子オブジェクトを作成するように指示された場合には、ＣＰＵ４１は、「１２３」のバーコードの情報を有する子オブジェクトを作成する。
【００９４】
そして、ＣＰＵ４１は、この子オブジェクトに親オブジェクトと同じグループＩＤを付して、グループ化されたリンクオブジェクトの順位が次の順位、即ち、順位が２番目の子オブジェクトとしてＲＡＭ４３に記憶後、Ｓ１１５の処理に移行する。即ち、親オブジェクトと子オブジェクトは、同一グループＩＤが付されてグループ化される。
【００９５】
続いて、Ｓ１１５において、ＣＰＵ４１は、同一グループＩＤが付された親オブジェクトと子オブジェクトとを読み出し、レイアウト９１上の選択されたオブジェクトを当該親オブジェクトに入れ替えて表示する。また、ＣＰＵ４１は、レイアウト９１を搬送方向後側（横方向右側）に拡大して、各子オブジェクトを親オブジェクト１１２の搬送方向後側に追加して表示する。尚、ＣＰＵ４１は、シルエット９２の左端部が、レイアウト９１に接続されるように縮めて表示する。
【００９６】
また、ＣＰＵ４１は、親オブジェクトと子オブジェクトに、グループＩＤを表す識別記号を、当該親オブジェクトと各子オブジェクトとを識別可能に付して表示する。例えば、親オブジェクトにグループＩＤを丸印の中に表示した丸数字を付して表示し、子オブジェクトにグループＩＤを四角印の中に表示した四角数字を付して表示する。その後、ＣＰＵ４１は、当該サブ処理を終了して、メインフローチャートのＳ１７の処理に移行する。
【００９７】
ここで、ユーザがレイアウト９１上のテキストの１個のオブジェクトを選択してメニュー画面からテキスト又はアレンジテキスト又はバーコードの子オブジェクトを作成してリンクオブジェクトにするように指示した一例を図１８乃至図２０に基づいて説明する。
【００９８】
図１８に示すように、ユーザが、図１４のオブジェクト９４を選択して、マウス７の右側ボタンをクリックした場合には、メニュー画面１０５が表示される。そして、ユーザがメニュー画面１０５に表示された「リンクオブジェクトの作成（Ｌ）」のメニュー１０６をマウス７でクリックした場合には、選択画面１０７が表示される。また、この選択画面１０７には、テキストの子オブジェクトの作成を指示するメニュー１０８と、アレンジテキストの子オブジェクトの作成を指示するメニュー１０９と、バーコードの子オブジェクトの作成を指示するメニュー１１０が表示される。
【００９９】
そして、ユーザが、選択画面１０７に表示されたメニュー１０８をマウス７でクリックした場合には、ＣＰＵ４１は、オブジェクト９４を親オブジェクトにするように選択されると共に、テキストの子オブジェクトを作成し、グループ化されたリンクオブジェクトを作成するように指示されたと判定する（Ｓ１１１：ＮＯ）。
【０１００】
そして、ＣＰＵ４１は、図１８で選択されたオブジェクト９４をグループ化されたリンクオブジェクトの順位が１番目の親オブジェクト１１２に設定し、親オブジェクト１１２に当該リンクオブジェクトを識別する「１」のグループＩＤを付してＲＡＭ４３に記憶する（Ｓ１１６）。
【０１０１】
また、親オブジェクトの情報が「１２３」のテキストであることから、ＣＰＵ４１は、「１２３」のテキストの子オブジェクト１１３を作成する。そして、ＣＰＵ４１は、この子オブジェクト１１３に親オブジェクト１１２と同じ「１」のグループＩＤを付して、グループ化されたリンクオブジェクトの順位が２番目の子オブジェクト１１３としてＲＡＭ４３に記憶する（Ｓ１１７）。
【０１０２】
続いて、図１９に示すように、ＣＰＵ４１は、「１２３」のテキストの情報を有する親オブジェクト１１２に「１」のグループＩＤを丸印の中に表示した丸数字「１」の識別記号１１２Ａを付して、レイアウト９１上のオブジェクト９４に替えて表示する。また、ＣＰＵ４１は、「１２３」のテキストの情報を有する子オブジェクト１１３に「１」のグループＩＤを四角印の中に表示した四角数字「１」の識別記号１１３Ａを付し、レイアウト９１を搬送方向後側（横方向右側）に拡大して、親オブジェクト１１２の搬送方向後側に追加して表示する（Ｓ１１５）。尚、ＣＰＵ４１は、シルエット９２の左端部が、レイアウト９１に接続されるように縮めて表示する。
【０１０３】
また、ユーザが、再度、親オブジェクト１１２を選択して、マウス７の右側ボタンをクリックし、メニュー画面１０５に表示された「リンクオブジェクトの作成（Ｌ）」のメニュー１０６をマウス７でクリック後、選択画面１０７に表示されたメニュー１０９をマウス７でクリックした場合には、ＣＰＵ４１は、「１２３」のアレンジテキストの子オブジェクト１１４を作成する。そして、ＣＰＵ４１は、この子オブジェクト１１４に親オブジェクト１１２と同じ「１」のグループＩＤを付して、グループ化されたリンクオブジェクトの順位が３番目の子オブジェクト１１４としてＲＡＭ４３に記憶する（Ｓ１１１：ＮＯ〜Ｓ１１７）。
【０１０４】
続いて、図２０に示すように、ＣＰＵ４１は、「１２３」のアレンジテキストの情報を有する子オブジェクト１１４に「１」のグループＩＤを四角印の中に表示した四角数字「１」の識別記号１１４Ａを付し、レイアウト９１を搬送方向後側（横方向右側）に拡大して、子オブジェクト１１３の搬送方向後側に追加して表示する（Ｓ１１５）。尚、ＣＰＵ４１は、シルエット９２の左端部が、レイアウト９１に接続されるように縮めて表示する。
【０１０５】
更に、ユーザが、再度、親オブジェクト１１２を選択して、マウス７の右側ボタンをクリックし、メニュー画面１０５に表示された「リンクオブジェクトの作成（Ｌ）」のメニュー１０６をマウス７でクリック後、選択画面１０７に表示されたメニュー１１０をマウス７でクリックした場合には、ＣＰＵ４１は、「１２３」のバーコードの子オブジェクト１１５を作成する。そして、ＣＰＵ４１は、この子オブジェクト１１５に親オブジェクト１１２と同じ「１」のグループＩＤを付して、グループ化されたリンクオブジェクトの順位が４番目の子オブジェクト１１５としてＲＡＭ４３に記憶する（Ｓ１１１：ＮＯ〜Ｓ１１７）。
【０１０６】
続いて、図２０に示すように、ＣＰＵ４１は、「１２３」のバーコードの情報を有する子オブジェクト１１５に「１」のグループＩＤを四角印の中に表示した四角数字「１」の識別記号１１５Ａを付し、レイアウト９１を搬送方向後側（横方向右側）に拡大して、子オブジェクト１１４の搬送方向後側に追加して表示する（Ｓ１１５）。尚、ＣＰＵ４１は、シルエット９２の左端部が、レイアウト９１に接続されるように縮めて表示する。
【０１０７】
尚、図１７に示す状態で、ユーザが、レイアウトボタン９７をマウス７でクリックしてメニュー画面９８を表示し、「リンクオブジェクトを解除する（Ｎ）」のメニュー１１７（図１６参照）をマウス７でクリックした場合には、ＣＰＵ４１は、各オブジェクト１０１、１０２、１０３から構成されたグループのリンク関係を解除するようにしてもよい。
【０１０８】
そして、ユーザが、再度、レイアウトボタン９７をマウス７でクリックしてメニュー画面９８を表示し、「順序」のメニュー１１８（図１６参照）をマウス７でクリックした場合には、ＣＰＵ４１は、各オブジェクト１０１、１０２、１０３の順位入れ替え画面を表示し、各オブジェクトの順位を入れ替えられるようにしてもよい。例えば、各オブジェクト１０１、１０２、１０３を順位順に表示して、入れ替えられるようにしてもよい。
【０１０９】
その後、上記のように各オブジェクト１０１、１０２、１０３を選択してリンクオブジェクトにするようにメニュー画面から指示することによって、親オブジェクトを入れ替えてグループ化したリンクオブジェクトを作成できるようにしてもよい（Ｓ１５：ＹＥＳ〜Ｓ１６参照）。
【０１１０】
次に、上記Ｓ１７で実行される「リンクオブジェクト更新処理」のサブ処理について図１３に基づいて説明する。
図１３に示すように、先ず、Ｓ２１１において、ＣＰＵ４１は、レイアウト９１上に表示された親オブジェクトがマウス７でクリックされて、変更されたか否かを判定する判定処理を実行する。そして、親オブジェクトがマウス７でクリックされて、変更されていない場合には（Ｓ２１１：ＮＯ）、ＣＰＵ４１は、当該サブ処理を終了して、メインフローチャートに戻り、Ｓ１２の処理に移行する。
【０１１１】
一方、親オブジェクトがマウス７でクリックされて、変更された場合には（Ｓ２１１：ＹＥＳ）、ＣＰＵ４１は、Ｓ２１２の処理に移行する。Ｓ２１２において、ＣＰＵ４１は、変更された親オブジェクトに付されたグループＩＤと変更後の親オブジェクトの情報とを取得して、ＲＡＭ４２に記憶する。
【０１１２】
続いて、Ｓ２１３において、ＣＰＵ４１は、変更された親オブジェクトに付されたグループＩＤが付された全ての子オブジェクトをＲＡＭ４３から読み出し、つまり、グループ化されたリンクオブジェクトを構成する各子オブジェクトをＲＡＭ４３から読み出す。そして、ＣＰＵ４１は、このグループ化されたリンクオブジェクトを構成する親オブジェクトと各子オブジェクトを順位順に配置し、変更するオブジェクトのリストとしてＲＡＭ４３に記憶する。
【０１１３】
そして、Ｓ２１４において、ＣＰＵ４１は、変更するオブジェクトのリストから各子オブジェクトを順位順に順次読み出し、各子オブジェクトの情報を変更後の親オブジェクトの情報に書き替えた後、該親オブジェクトと同じグループＩＤを付して、ＲＡＭ４３に記憶する。即ち、リンクオブジェクトを構成する各子オブジェクトの情報は、変更後の親オブジェクトと同じ情報を表すようになる。
【０１１４】
続いて、Ｓ２１５において、ＣＰＵ４１は、再度、同一グループＩＤが付された親オブジェクト及び各子オブジェクトをＲＡＭ４３から読み出し、レイアウト９１上の各オブジェクトを変更後の親オブジェクト及び各子オブジェクトに入れ替えて表示する。また、ＣＰＵ４１は、変更後の親オブジェクトと各子オブジェクトに、グループＩＤを表す識別記号を、当該親オブジェクトと各子オブジェクトとを識別可能に付して表示する。例えば、親オブジェクトにグループＩＤを丸印の中に表示した丸数字を付して表示し、各子オブジェクトにグループＩＤを四角印の中に表示した四角数字を付して表示する。その後、ＣＰＵ４１は、当該サブ処理を終了して、メインフローチャートのＳ１２の処理に移行する。
【０１１５】
ここで、ユーザがレイアウト９１上の親オブジェクト及び各子オブジェクトを更新する一例を図２１乃至図２３に基づいて説明する。
【０１１６】
図２１に示すように、ユーザが、図１７の親オブジェクト１０１をマウス７でクリックして、「１２３」のテキストのうち「１」のテキストを削除して、「Ａ」のテキストを入力して、「Ａ２３」のテキストに変更した場合には、ＣＰＵ４１は、「Ａ２３」のテキストの情報を有する親オブジェクト１０１に丸数字「１」の識別記号１０１Ａを付して表示する。また、ＣＰＵ４１は、子オブジェクト１０２の「１２３」のテキストを「Ａ２３」のテキストに変更し、四角数字「１」の識別記号１０２Ａを付して表示する。更に、ＣＰＵ４１は、子オブジェクト１０３の「１２３」のテキストを「Ａ２３」のテキストに変更し、四角数字「１」の識別記号１０３Ａを付して表示する。
【０１１７】
また、図２２に示すように、ユーザが、図１９の親オブジェクト１１２をマウス７でクリックして、「１２３」のテキストのうち「１」のテキストを削除して、「Ａ」のテキストを入力して、「Ａ２３」のテキストに変更した場合には、ＣＰＵ４１は、「Ａ２３」のテキストの情報を有する親オブジェクト１１２に丸数字「１」の識別記号１１２Ａを付して表示する。また、ＣＰＵ４１は、子オブジェクト１１３の「１２３」のテキストを「Ａ２３」のテキストに変更し、四角数字「１」の識別記号１１３Ａを付して表示する。
【０１１８】
また、図２３に示すように、ユーザが、図２０の親オブジェクト１１２をマウス７でクリックして、「１２３」のテキストのうち「１」のテキストを削除して、「Ａ」のテキストを入力して、「Ａ２３」のテキストに変更した場合には、ＣＰＵ４１は、「Ａ２３」のテキストの情報を有する親オブジェクト１１２に丸数字「１」の識別記号１１２Ａを付して表示する。
【０１１９】
また、ＣＰＵ４１は、子オブジェクト１１３の「１２３」のテキストを「Ａ２３」のテキストに変更し、四角数字「１」の識別記号１１３Ａを付して表示する。また、ＣＰＵ４１は、子オブジェクト１１４の「１２３」のアレンジテキストを「Ａ２３」のアレンジテキストに変更し、四角数字「１」の識別記号１１４Ａを付して表示する。また、ＣＰＵ４１は、子オブジェクト１１５の「１２３」のバーコードを「Ａ２３」のバーコードに変更し、四角数字「１」の識別記号１１５Ａを付して表示する。
【０１２０】
ここで、コンピュータ装置２は、ラベルデータ作成装置として機能する。また、ＣＰＵ４１、ＲＯＭ４２、ＲＡＭ４３及び表示装置５は、表示手段、識別表示手段を構成する。また、ロールシート１２Ａ、無定長ロールシート１２Ａ、ダイカットは、印刷媒体として機能する。また、ＣＰＵ４１、ＲＯＭ４２、ＲＡＭ４３、ＨＤＤ４９は、印刷データ作成・編集手段、レイアウト表示手段、リンクオブジェクト設定手段、リンクオブジェクト更新手段、順位変更手段を構成する。また、キーボード６は、入力手段として機能する。また、ＲＡＭ４３は、オブジェクト記憶手段として機能する。また、ＣＰＵ４１及びマウス７は、選択手段を構成する。
【０１２１】
以上詳細に説明した通り、本実施例に係るラベル印刷システム１では、ユーザは、レイアウト９１上の印刷領域９１Ａ内のテキストやアレンジテキストやバーコードの複数のオブジェクトを選択し、リンクオブジェクトにするようにメニュー画面から指示することによって、印刷領域の複数のオブジェクトをグループ化して、グループ内で順位が１番目のオブジェクトと同じ情報の１種類の情報のオブジェクトに設定することが可能となる（Ｓ１１１〜Ｓ１１５）。従って、ユーザは、レイアウト９１の印刷領域９１Ａに入力したテキストやアレンジテキストやバーコードの複数のオブジェクトを順位が１番の親オブジェクトの情報と同じ１種類の情報のオブジェクトに容易に変更することが可能となる。
【０１２２】
また、ユーザは、グループ化された複数のオブジェクトのうちの親オブジェクトをマウス７でクリックして、該親オブジェクトの情報を変更するだけで、当該親オブジェクトとリンクオブジェクトを構成する各子オブジェクトの情報を親オブジェクトの情報と同じにすることができる（Ｓ２１１〜Ｓ２１５）。従って、ユーザは、レイアウト９１の印刷領域９１Ａに入力した複数のオブジェクトのうちの親オブジェクトの情報を変更するだけで、リンクオブジェクトを構成するグループ内の全オブジェクトを同じ１種類の情報のオブジェクトに容易に更新することが可能となる。
【０１２３】
また、ユーザは、レイアウト９１上の印刷領域９１Ａ内のテキスト又はアレンジテキスト又はバーコードの１個のオブジェクトを選択し、リンクオブジェクトを作成するようにメニュー画面から指示することによって、この選択したオブジェクトと同じ情報の子オブジェクトから構成されるグループのリンクオブジェクトを作成することができる（Ｓ１１１：ＮＯ〜Ｓ１１６〜Ｓ１１５）。従って、ユーザは、レイアウト９１の印刷領域９１Ａに１種類の情報の複数オブジェクトを容易に作成し、グループ化して入力することが可能となる。
【０１２４】
また、ユーザは、メニュー画面からリンクオブジェクトのリンク関係を解除するように指示した後、リンク関係が解除された複数のオブジェクトの順位を入れ替える順序入れ替え画面を表示する。そして、ユーザは、複数のオブジェクトの順位を入れ替え後、再度この複数のオブジェクトを選択してリンクオブジェクトにするようにメニュー画面から指示することによって、親オブジェクトを入れ替えてグループ化したリンクオブジェクトを作成することが可能となる。従って、ユーザは、レイアウト９１上の複数のオブジェクトのうちの所望の情報を有するオブジェクトの順位を１番に変更することによって、印刷領域９１Ａ内の複数のオブジェクトを所望の情報を有する１種類のオブジェクトに設定することが可能となる。
【０１２５】
更に、印刷領域９１Ａ内の親オブジェクトと各子オブジェクトに、グループＩＤを表す識別記号が、当該親オブジェクトと各子オブジェクトとを識別可能に付して表示されているため、ユーザは、複数種類のリンクオブジェクトが同一レイアウト９１上に表示された場合には、複数のオブジェクトから構成される各グループを容易に識別することが可能となる。また、ユーザは、各グループ内の親オブジェクトを容易に識別することができる。従って、ユーザは、所望のグループ化されたリンクオブジェクトを容易に選択して、親オブジェクトを変更することによって、所望のグループ内の全オブジェクトを迅速に変更することが可能となる。
【０１２６】
尚、本発明は前記実施例に限定されることはなく、本発明の要旨を逸脱しない範囲内で種々の改良、変形が可能であることは勿論である。
【０１２７】
例えば、図１７、図１９、図２０乃至図２３において、ＣＰＵ４１は、各親オブジェクト１０１、１１２に「１」のグループＩＤを赤色の四角枠の中に表示した「１」の識別記号１０１Ｂ、１１２Ｂを付し、各子オブジェクト１０２、１０３、１１３、１１４、１１５に「１」のグループＩＤを青色の四角枠の中に表示した「１」の識別記号１０２Ｂ、１０３Ｂ、１１３Ｂ、１１４Ｂ、１１５Ｂを付すようにしてもよい。つまり、親オブジェクトに付する識別記号と各子オブジェクトに付する識別記号との色を変えるだけにしてよい。これにより、ユーザは、親オブジェクト１０１を容易に識別することが可能となる。
【０１２８】
また、図１７、図１９、図２０乃至図２３において、ＣＰＵ４１は、各親オブジェクト１０１、１１２にだけグループＩＤを表す識別記号を付するようにしてもよい。これにより、ユーザは、親オブジェクト１０１を容易に識別することが可能となる。
【図面の簡単な説明】
【０１２９】
【図１】本実施例に係るラベル印刷システムの概略構成である。
【図２】図１に示すテープ印刷装置の上カバーを開けてロールシートホルダが装着された状態を示す右側上方からの斜視図である。
【図３】ロールシートホルダをテープ印刷装置に装着した状態を示す側断面図である。
【図４】テープ印刷装置の上カバーが開かれた状態を示す左前側上方からの斜視図である。
【図５】テープ印刷装置の上カバーが開かれた状態を示す左後側上方からの斜視図である。
【図６】ロールシートが装着されたロールシートホルダの一例を示す下方からの斜視図である。
【図７】図１に示すコンピュータ装置の要部の回路構成を示す回路ブロック図である。
【図８】図１に示すテープ印刷装置の要部の回路構成を示す回路ブロック図である。
【図９】テープ印刷装置のＲＯＭに記憶されるシート種類テーブルの一例を示す図である。
【図１０】テープ印刷装置のＲＯＭに記憶されるダイカット種類テーブルの一例を示す図である。
【図１１】図１に示すコンピュータ装置のＣＰＵによるロールシートに印刷する複数のオブジェクトから構成されるリンクオブジェクトを作成・更新するリンクオブジェクト作成・更新処理を示すメインフローチャートである。
【図１２】図１１の「リンクオブジェクト作成処理」のサブ処理を示すサブフローチャートである。
【図１３】図１１の「リンクオブジェクト更新処理」のサブ処理を示すサブフローチャートである。
【図１４】レイアウトに１個のオブジェクトを入力した一例を示す図である。
【図１５】レイアウトに複数のオブジェクトを入力した一例を示す図である。
【図１６】図１５のレイアウトの複数のオブジェクトを選択してリンクオブジェクトの作成を指示する一例を示す図である。
【図１７】図１６の複数のオブジェクトからリンクオブジェクトを作成した一例を示す図である。
【図１８】図１４のレイアウトの１個のオブジェクトを選択してテキストのリンクオブジェクトの作成を指示する一例を示す図である。
【図１９】図１８の１個のオブジェクトからテキストの子オブジェクトからなるリンクオブジェクトを作成した一例を示す図である。
【図２０】図１４の１個のオブジェクトからテキストの子オブジェクトとアレンジテキストの子オブジェクトとバーコードの子オブジェクトからなるリンクオブジェクトを作成した一例を示す図である。
【図２１】図１７のリンクオブジェクトを更新する一例を示す図である。
【図２２】図１９のリンクオブジェクトを更新した一例を示す図である。
【図２３】図２０のリンクオブジェクトを更新した一例を示す図である。
【符号の説明】
【０１３０】
１        ラベル印刷システム
２        コンピュータ装置
３        テープ印刷装置
４        ホストコントローラ
５        表示装置
６        キーボード
７        マウス
１２Ａ    ロールシート（無定長ロールシート）
４１      ＣＰＵ
４２      ＲＯＭ
４３      ＲＡＭ
４５      通信用インターフェース
４９      ＨＤＤ
８９      レイアウト編集画面
９０      レイアウト表示画面
９１      レイアウト
９１Ａ    印刷領域
９４、９５、９６      オブジェクト
９７      レイアウトボタン
９８、１０５          メニュー画面
９９、１０６、１０８〜１１０１１７、１１８      メニュー
１０１、１１２        親オブジェクト
１０２、１０３、１１３、１１４、１１５          子オブジェクト
１０７    選択画面
【図１】
0004501985.tif 000002
【図２】
0004501985.tif 000003
【図３】
0004501985.tif 000004
【図４】
0004501985.tif 000005
【図５】
0004501985.tif 000006
【図６】
0004501985.tif 000007
【図７】
0004501985.tif 000008
【図８】
0004501985.tif 000009
【図９】
0004501985.tif 000010
【図１０】
0004501985.tif 000011
【図１１】
0004501985.tif 000012
【図１２】
0004501985.tif 000013
【図１３】
0004501985.tif 000014
【図１４】
0004501985.tif 000015
【図１５】
0004501985.tif 000016
【図１６】
0004501985.tif 000017
【図１７】
0004501985.tif 000018
【図１８】
0004501985.tif 000019
【図１９】
0004501985.tif 000020
【図２０】
0004501985.tif 000021
【図２１】
0004501985.tif 000022
【図２２】
0004501985.tif 000023
【図２３】
0004501985.tif 000024